(57)【要約】暗号化された著作物記録媒体を購入する際に、購入者の指紋認証を用いて購入者本人であることを確認できるようにし、購入者本人のみが著作物記録媒体に記録された著作データを再生及び複製することができる著作物記録媒体の不正使用防止装置である。ＩＣカード等記録媒体データ読み込み・書き込み装置を用いて、ＩＣカード等の記録媒体に、著作物記録媒体固有識別データベースと暗号解読キーデータベースを書き込むため著作物記録媒体識別データベースから読み込み、且つ指紋認証装置で著作物記録媒体の購入者の指紋データを読み込み、この購入者の指紋データと著作物記録媒体の固有識別データと暗号解読キーとをＩＣカード等記録媒体データ読み込み・書き込み装置によりＩＣカード等の記録媒体に書き込む。
2005004380.tif 000002
【特許請求の範囲】
【請求項１】
販売される暗号化された著作物記録媒体と、この著作物記録媒体を固有識別するための著作物記録媒体固有識別データベースと暗号解読キーデータベースを格納した著作物記録媒体識別データベースと、ＩＣカード等の記録媒体と、このＩＣカード等の記録媒体に書き込み可能なＩＣカード等記録媒体データ読み込み・書き込み装置と、上記著作物記録媒体の購入者の指紋データを照合・識別する指紋認証装置とを備え、上記ＩＣカード等記録媒体データ読み込み・書き込み装置を用いて、ＩＣカード等の記録媒体に、著作物記録媒体固有識別データベースと暗号解読キーデータベースを書き込むため上記著作物記録媒体識別データベースから読み込み、且つ上記指紋認証装置で著作物記録媒体の購入者の指紋データを読み込み、この購入者の指紋データと上記著作物記録媒体の固有識別データと暗号解読キーとをＩＣカード等記録媒体データ読み込み・書き込み装置によりＩＣカード等の記録媒体に書き込むことを特徴とする著作物記録媒体の不正使用防止装置。
【請求項２】
ＩＣカード等記録媒体データ読み込み・書き込みデータ構造は、複数の著作物記録媒体識別データ群と、複数の著作物記録媒体に対応した暗号解読キー群と、著作物記録媒体の購入者指紋データと、購入者個別データ群とを含むことを特徴とする請求の範囲第１項記載の著作物記録媒体の不正使用防止装置。
【請求項３】
販売される暗号化された著作物記録媒体と、この著作物記録媒体を固有識別するための著作物記録媒体固有識別データベースと暗号解読キーデータベースを格納した著作物記録媒体識別データベースと、ＩＣカード等の記録媒体と、このＩＣカード等の記録媒体に書き込み可能なＩＣカード等記録媒体データ読み込み・書き込み装置と、上記著作物記録媒体の購入者の指紋データを照合・識別する指紋認証装置と、上記著作物記録媒体を再生又は複製する著作物記録媒体再生装置と、映像・音響等再生装置とを備え、上記著作物記録媒体再生装置に上記著作物記録媒体とＩＣカード等の記録媒体をロードし、上記指紋認証装置により著作物記録媒体の購入者の指紋を読み込み、ＩＣカード等の記録媒体に記録されている購入者指紋データと照合し、一致していれば暗号化されている著作物記録媒体のデータを復号し、映像・音響等再生装置で再生することを特徴とする著作物記録媒体の不正使用防止装置。
【請求項４】
販売される暗号化された著作物記録媒体と、この著作物記録媒体を固有識別するための著作物記録媒体固有識別データベースと暗号解読キーデータベースを格納した著作物記録媒体識別データベースと、ＩＣカード等の記録媒体と、このＩＣカード等の記録媒体に書き込み可能なＩＣカード等記録媒体データ読み込み・書き込み装置と、上記著作物記録媒体の購入者の指紋データを照合・識別する指紋認証装置と、上記著作物記録媒体を再生又は複製する著作物記録媒体再生・複製装置と、映像・音響等再生装置とを備え、上記著作物記録媒体再生・複製装置に上記著作物記録媒体とＩＣカード等の記録媒体をロードし、上記指紋認証装置により著作物記録媒体の購入者の指紋を読み込み、ＩＣカード等の記録媒体に記録されている購入者指紋データと照合し、一致していれば暗号化されている著作物記録媒体のデータを復号し、映像・音響等再生装置で再生、又は他の著作物記録媒体再生・複製装置に上記著作物記録媒体固有識別データベースと暗号解読キーデータベースを転送して複製することを特徴とする著作物記録媒体の不正使用防止装置。
【発明の詳細な説明】
【技術分野】  この発明は、著作物記録媒体の不正使用防止装置、特に暗号化された著作物記録媒体を購入する際に、購入者の指紋認証を用いて購入者本人であることを確認できるようにした著作物記録媒体の不正使用防止装置に関する。
【背景技術】  従来から、著作物記録媒体に指紋データと暗号解読キーを書き込む方式は既に提案されている。例えば、日本特開２００２−２７２３１号公報には、静止画像や動画像などの画像データ、音楽や音声などの音データ、画像データと音データとを複合的に含むデータなどで構成されたデジタルコンテンツが記録されたＣＤ（コンパクトディスク）、ＤＶＤ（ディジタルビデオディスク）等の記録媒体の管理領域内に指紋情報等の生体情報を直接書き込み格納するものが示されている。しかしながら、この方式では、著作物記録媒体の販売時に、著作物記録媒体に指紋データ等を書き込めるようにする必要があるため、著作物記録媒体は後書き可能のものが必要となり、既存の仕様構造とは異なるため、量産設備のコストが増加するという欠点があった。また、従来の方式の場合、複製を防ぐことが目的のため、購入者本人が複製して使用することも制限することになり、購入物の破損等の場合にバックアップができないこと、自宅や自動車、移動視聴覚装置等、複数の使用場所に常備することができない等、利便性を妨げていた。但し、破損の場合は、ＩＣカード等記録媒体と指紋データで購入した著作物記録媒体が特定できるため、再発行できるが、余分な費用と手間を要する欠点がある。
また、日本特開２００２−２５８９７５号公報には、ユーザの指紋画像とＩＣカードに記憶されたユーザの指紋データとを照合し、一致した場合はＩＣカードからログオンＩＤを読み出し、これが一致すれば端末の利用を許可するものが示されている。しかしながら、この指紋認証装置及び指紋認証方法は、システムログオン時にユーザ認証を行うものであった。
【発明の開示】
この発明は、このような従来の著作物記録媒体の欠点がなく、著作物記録媒体を購入する際に、購入者の指紋認証を用いて購入者本人であることを確認できるようにしにした著作物記録媒体の不正使用防止装置を提供することを目的としている。
また、この発明は、さらに購入者本人のみが著作物記録媒体に記録された著作データを再生及び複製することができるようにした著作物記録媒体の不正使用防止装置を提供することを目的としている。
【図面の簡単な説明】  第１図は、この発明にかかる著作物記録媒体の不正使用防止装置の著作物記録媒体購入時における概略システム構成図である。
第２図は、この発明にかかる著作物記録媒体の不正使用防止装置に用いる著作物記録媒体書き込みデータ構造を示す図である。
第３図は、この発明にかかる著作物記録媒体の不正使用防止装置に用いるＩＣカード等の記録媒体書き込みデータ構造を示す図である。
第４図は、この発明にかかる著作物記録媒体の不正使用防止装置の著作物記録媒体再生・複製時における概略システム構成図である。
【発明を実施するための最良の形態】  この発明をより詳細に説明するために、添付の図面に従ってこれを説明する。
第１図は、この発明にかかる著作物記録媒体の不正使用防止装置の著作物記録媒体購入時における概略システム構成図であり、ＩＣカード等記録媒体データ読み込み・書き込み装置１と、ＩＣカード等からなる記録媒体２と、ＣＤ、ＤＶＤ、ＭＤ、ＨＤＤ等からなる暗号化された著作物記録媒体３と、著作物記録媒体識別データベース及び暗号解読キーデータベースを格納した著作物記録媒体識別データベース４と、指紋データを照合・識別する指紋認証装置５とから構成されている。第１図により、著作物記録媒体３の購入時について説明する。まず、著作物記録媒体３の販売者は、ＩＣカード等記録媒体データ読み込み・書き込み装置１を用いて、ＩＣカード等の記録媒体２に、販売するＣＤ、ＤＶＤ、ＭＤ、ＨＤＤ等からなる暗号化された著作物記録媒体３を固有識別するための著作物記録媒体固有識別データと暗号解読キーを書き込むため、著作物記録媒体識別データベース４から読み込む。また、著作物記録媒体３の購入者の指紋データを指紋認証装置５で読み込み、この購入者の指紋データと上記著作物記録媒体の固有識別データと暗号解読キーをＩＣカード等記録媒体データ読み込み・書き込み装置１により、ＩＣカード等の記録媒体２に書き込む。
第２図は、この発明にかかる著作物記録媒体の不正使用防止装置に用いる著作物記録媒体書き込みデータ構造を示す図であり、複数の楽曲等の著作物データを示す暗号化著作物データ群Ａ１〜Ｎと、著作物記録媒体固有識別データＢとが格納されている。
第３図は、この発明にかかる著作物記録媒体の不正使用防止装置に用いるＩＣカード等の記録媒体書き込みデータ構造を示す図であり、複数の著作物記録媒体識別データが記録されていることを示す著作物記録媒体識別データ群Ｂ１〜Ｍと、複数の著作物記録媒体に対応した暗号解読キーが記録されていることを示すＣ１〜Ｍと、購入者指紋データＤと、購入者毎に異なるデータを複数記録できることを示す購入者個別データ群（有効期限含む）Ｅ１〜Ｌとが格納されている。
なお、上記著作物記録媒体３の購入時に、著作物記録媒体３を一定期間のみ使用可能にしたり、或いは一回のみ使用可能にするなどの制約を設ける場合は、それを指定した第３図の購入者個別データ群（有効期限含む）である各種識別データ群Ｅ１〜Ｌを同時に書き込むことができる。
上記ＩＣカード等の記録媒体２は、新規に一回発行したものに、第２図の著作物記録媒体固有識別データを複数書き込めるため、再利用が可能であると同時に複数の著作物記録媒体３を複数購入することも可能である。
また、貸与販売を行う場合等は、著作物記録媒体３が返還された時に、第２図の当該著作物記録媒体固有識別データＢを削除することも可能である。
また、第３図の購入者個別データ群（有効期限含む）Ｅ１〜Ｌにより購入累計枚数や貸与の場合の累計使用期間等のデータを記録することも可能であり、著作物記録媒体固有識別データＢと関連付けることにより個別の記録を残すことも可能となる。
第４図は、この発明にかかる著作物記録媒体の不正使用防止装置の著作物記録媒体再生・複製時における概略システム構成図であり、ＩＣカード等記録媒体データ読み込み・書き込み装置１と、ＩＣカード等からなる記録媒体２と、ＣＤ、ＤＶＤ、ＭＤ、ＨＤＤ等からなる暗号化された著作物記録媒体３と、指紋データを照合・識別する指紋認証装置５と、著作物記録媒体再生・複製装置７と、映像・音響等再生装置８と、複製したＣＤ、ＤＶＤ、ＭＤ、ＨＤＤ等からなる著作物記録媒体の複製物９と、他の著作物記録媒体再生・複製装置１０とから構成されている。
第４図により、著作物記録媒体購入者が著作物記録媒体３を再生・複製する場合について説明する。まず、著作物記録媒体再生・複製装置７に著作物記録媒体３とＩＣカード等の記録媒体２をロードし、指紋認証装置５により著作物記憶媒体３の購入者の指紋を読み込み、ＩＣカード等の記録媒体２に記録されている購入者指紋データＤと照合し、一致していれば暗号化されている著作物記記録媒体のデータを復号し、映像・音響等再生装置８を用いて再生、又は接続された他の著作物記録媒体再生・複製装置１０に暗号化著作物データ群Ａ１〜Ｎ及び著作物記録媒体固有識別データＢを転送し、複製することができる。
複製した著作物記録媒体の複製物９を再生・複製する場合にも必ずＩＣカード等の記録媒体２と指紋認証装置５による指紋認証が必要になるため、購入者以外の第三者が使用することはできない。
但し、購入者が他の第三者が購入した同一の著作物記録媒体を使用することは可能である。
この発明は、暗号化された著作物記録媒体を購入する際に、購入者の指紋データと当該著作物記録媒体の識別データと暗号解読キーをＩＣカード等他の記録媒体に書き込むことを特徴としている。
この発明は、購入者の指紋データと暗号解読キーが書き込まれたＩＣカード等の記録媒体で、指紋認証を用い購入者本人であることを確認した上で当該著作物記録媒体から購入者が復号データを取り出すことができることを特徴としている。
この発明は、購入者が暗号化された著作物記録媒体を再生又は複製する場合は、暗号解読キーと購入者の指紋データが記憶されたＩＣカード等の記録媒体の指紋データと指紋読み取りデータを照合し、購入者本人であることを確認することで実施できる。これにより、ＣＤ、ＤＶＤ等の記録媒体に書き込まれた著作物を再生・複製することができるのは購入者本人に限定できるため、不正に複製して第三者に配布・販売することを防止できる。
この発明は、正規の購入者は、自己が視聴するための複製を作成することができるため、自宅、自動車、移動視聴覚装置用等、必要により複数の記録媒体（機器内蔵型記憶装置を含む）に複製して視聴することができる。
この発明は、同一の購入者本人であることを確認することができるため、購入者の指紋データ等、異なるデータを個別に著作物記録媒体に後書きで書き込む必要がなく、既存の仕様構造と同一のものを量産できる。
この発明は、第三者に自己が複製した著作物記録媒体を配布しても、第三者はそれを使用することができない。
この発明は、複数の著作物記録媒体再生・複製装置の個々に指紋認証装置を設けず、ＩＣカード等の記録媒体と指紋認証装置のみを取り外し可能な構造とし、複数の著作物記録媒体再生・複製装置に接続することができる。
この発明は、インターネット等の手段を用いた暗号化された著作物記録データの販売にも、同様の仕組みを用いることにより、不正使用防止が可能となる。
この発明は、複数の著作物記録媒体毎の識別データに対応した暗号解読キーを一つのＩＣカード等の記録媒体に書き込むことができるため、多数の著作物記録媒体を一つのＩＣカード等の記録媒体で使用することができる。
この発明は、ＩＣカード等の記録媒体に指紋認証機能を一体で保有する場合にも容易に対応できる。
【産業上の利用可能性】  以上のように、この発明に係る著作物記録媒体の不正使用防止装置は、暗号化された著作物記録媒体を購入する際に、購入者の指紋認証を用いて購入者本人であることを確認できるようにし、購入者本人のみが著作物記録媒体に記録された著作データを再生及び複製することができるようにしたので、著作物記録媒体の不正使用防止装置として有用である。
【図１】
2005004380.tif 000003
【図２】
2005004380.tif 000004
【図３】
2005004380.tif 000005
【図４】
2005004380.tif 000006
【国際調査報告】
2005004380.tif 000007
2005004380.tif 000008